【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
（ａ）塩の形の少なくとも１つの三価カチオン、
（ｂ）少なくとも１つの水溶性のカチオン性ポリマーおよび
（ｃ）少なくとも１つの水溶性の両性ポリマーを
紙料に添加し、この紙料を枚葉紙の形成下に脱水し、引続き紙製品を乾燥させることによって、高い乾燥強度を有する紙、板紙および厚紙を製造する方法であって、
水溶性のカチオン性ポリマー（ｂ）は、（ｉ）ビニルアミン単位含有重合体および（ｉｉ）エチレンイミン単位含有重合体の群から選択されることを特徴とする、高い乾燥強度を有する紙、板紙および厚紙を製造する方法。
【請求項２】
（ａ）少なくとも１つの三価カチオンは、Ａｌ3+、Ｚｒ3+およびＦｅ3+から選択される、請求項１記載の方法。
【請求項３】
（ａ）少なくとも１つの三価カチオンは、硫酸アルミニウム、ポリ塩化アルミニウムまたは乳酸アルミニウムの塩の形である、請求項１または２記載の方法。
【請求項４】
（ａ）少なくとも１つの三価カチオンを塩の形で乾燥した紙１ｔ当たり３〜１００モルの量で紙料に添加する、請求項１から３までのいずれか１項に記載の方法。
【請求項５】
（ｉ）ビニルアミン単位含有重合体として、
式
【化１】
2012530196.tif 000001
［式中、Ｒ1、Ｒ2は、ＨまたはＣ1〜Ｃ6−アルキルを表わす］で示される少なくとも１つの単量体を重合させ、
引続き、基−ＣＯ−Ｒ1をポリマー中に重合導入された、単量体（Ｉ）の単位からアミノ基の形成下に部分的または完全に脱離し、
および／または
アクリルアミド単位および／またはメタクリルアミド単位を有するポリマーをホフマン分解することによって得られた反応生成物を使用する、請求項１から４までのいずれか１項に記載の方法。
【請求項６】
（ｉ）ビニルアミン単位含有重合体として、
（１．）式
【化２】
2012530196.tif 000002
［式中、Ｒ1、Ｒ2は、ＨまたはＣ1〜Ｃ6−アルキルを表わす］で示される少なくとも１つの単量体と、
（２．）場合によっては少なくとも１つの別のモノエチレン系不飽和単量体と、
（３．）場合によっては分子内に少なくとも２個の二重結合を有する少なくとも１つの架橋作用を有する単量体とを重合させ、
引続き、基−ＣＯ−Ｒ1を重合体中に重合導入された、単量体（Ｉ）の単位からアミノ基の形成下に部分的または完全に脱離することによって得られた反応生成物を使用する、請求項１から５までのいずれか１項に記載の方法。
【請求項７】
（ｉ）ビニルアミン単位含有重合体として、Ｎ−ビニルホルムアミドを重合させ、引続きホルミル基を重合体中に重合導入されたビニルホルムアミド単位からアミノ基の形成下に脱離することによって得られた反応生成物を使用する、請求項１から６までのいずれか１項に記載の方法。
【請求項８】
（ｉ）ビニルアミン単位含有重合体として
（１．）Ｎ−ビニルホルムアミドと
（２．）アクリルニトリルとを共重合させ、
引続きホルミル基を共重合体中に重合導入されたビニルホルムアミド単位からアミノ基の形成下に脱離することによって得られた反応生成物を使用する、請求項１から７までのいずれか１項に記載の方法。
【請求項９】
（ｉ）ビニルアミン単位含有重合体として
（１．）式
【化３】
2012530196.tif 000003
［式中、Ｒ1、Ｒ2は、ＨまたはＣ1〜Ｃ6−アルキルを表わす］で示される少なくとも１つの単量体と、
（２．１）モノエチレン系不飽和スルホン酸、モノエチレン系不飽和ホスホン酸および分子内に３〜８個のＣ原子を有するモノエチレン系不飽和カルボン酸および／またはこれらのアルカリ金属塩、アルカリ土類金属塩またはアンモニウム塩から選択された、それぞれ少なくとも１個の酸基含有単量体と、
（２．２）場合によっては少なくとも１つの別の中性単量体および／またはカチオン性単量体と、
（３．）場合によっては分子内に少なくとも２個の二重結合を有する少なくとも１つの架橋作用を有する単量体とを重合させ、
引続き重合体中に重合導入された、単量体（Ｉ）の単位から基−ＣＯ−Ｒ1をアミノ基の形成下に部分的または完全に脱離することによって得られた反応生成物を使用し、その際、共重合体中のアミノ基の含量は、単量体（２．１）の重合導入された酸基の含量を少なくとも５モル％上廻る、請求項１から８までのいずれか１項に記載の方法。
【請求項１０】
（ｉ）ビニルアミン単位含有重合体として、
（１．）Ｎ−ビニルホルムアミドと、
（２．１）アクリル酸、メタクリル酸および／またはそのアルカリ金属塩、アルカリ土類金属塩またはアンモニウム塩と、
（２．２）場合によってはアクリルニトリルおよび／またはメタクリルニトリルとを重合させ、
引続き重合体中に重合導入されたＮ−ビニルホルムアミドからホルミル基をアミノ基の形成下に部分的または完全に脱離することによって得られた反応生成物を使用し、その際、共重合体中のアミノ基の含量は、単量体（２．１）の重合導入された酸基の含量を少なくとも５モル％上廻る、請求項１から９までのいずれか１項に記載の方法。
【請求項１１】
（ｉ）ビニルアミン単位含有重合体として、アクリルアミドまたはメタクリルアミドの単独重合体または共重合体を水性媒体中で苛性ソーダ液および次亜塩素酸ナトリウムの存在下でホフマン分解し、引続きこの反応生成物のカルバメート基を酸の存在下で脱カルボキシル化することによって得られた反応生成物を使用する、請求項１から１０までのいずれか１項に記載の方法。
【請求項１２】
（ｉｉ）エチレンイミン単位含有重合体として
エチレンイミンの単独重合体、
少なくとも二官能性の架橋剤と反応されたポリエチレンイミン、
少なくとも二官能性の架橋剤と反応された、エチレンイミンでグラフトされたポリアミドアミン、
アミド化されたポリエチレンイミンへのポリエチレンイミンと一塩基性カルボン酸との反応生成物、
モノエチレン系不飽和カルボン酸のエチレン系不飽和の酸、塩、エステル、アミドまたはニトリルへのポリエチレンイミンのマイケル付加生成物、
ホスホンメチル化されたポリエチレンイミン、
カルボキシル化されたポリエチレンイミンおよび
アルコキシル化されたポリエチレンイミンの群からの少なくとも１つの水溶性のカチオン性重合体を使用する、請求項１から１１までのいずれか１項に記載の方法。
【請求項１３】
（ｉｉ）エチレンイミン単位含有重合体としてエチレンイミンの単独重合体および／またはエチレンイミンでグラフトされたポリアミドアミンおよび引続き少なくとも二官能性の架橋剤と反応されたポリアミドアミンを使用する、請求項１から１２までのいずれか１項に記載の方法。
【請求項１４】
（ｂ）少なくとも１つの水溶性のカチオン性重合体を乾燥した紙料に対して０．０１〜２．０質量％の量で使用する、請求項１から１３までのいずれか１項に記載の方法。
【請求項１５】
（ｃ）として、少なくとも３個の構造単位：
（Ａ）不変のカチオン性基または水性媒体中でプロトン化可能な基を有する構造単位、
（Ｂ）水性媒体中で脱プロトン化可能な基を有する構造単位、および
（Ｃ）非イオン性構造単位から構成された水溶性の両性重合体を使用する、請求項１から１４までのいずれか１項に記載の方法。
【請求項１６】
その重合体が構造単位（Ｃ）を含有する単量体の割合は、水溶性の両性重合体中で、水溶性の両性重合体（ｃ）の製造に使用される単量体の全質量に対して少なくとも５０質量％である、請求項１５記載の方法。
【請求項１７】
その重合体が構造単位（Ｂ）を含有する単量体として、式（ＩＩ）
【化４】
2012530196.tif 000004
［式中、Ｒ1は、ＨまたはＣ1〜Ｃ4アルキル基を表わし、ｎは、１〜８の範囲内の整数を表わす］で示される単量体ならびにその塩を使用する、請求項１５または１６記載の方法。
【請求項１８】
（ｃ）少なくとも１つの水溶性の両性重合体を乾燥した紙料に対して０．０１〜２．０質量％の量で使用する、請求項１５から１７までのいずれか１項に記載の方法。
【請求項１９】
最初に、（ａ）三価カチオンを塩の形で紙料に添加し、その後に（ｂ）水溶性のカチオン性重合体を添加し、引続き（ｃ）水溶性の両性重合体を添加する、請求項１から１８までのいずれか１項に記載の方法。
【請求項２０】
最初に、（ａ）三価カチオンを塩の形で紙料に添加し、その後に（ｃ）水溶性の両性重合体を添加し、引続き（ｂ）水溶性のカチオン性重合体を添加する、請求項１から１８までのいずれか１項に記載の方法。
【請求項２１】
最初に、（ａ）塩の形の三価カチオンと（ｃ）水溶性の両性重合体との混合物を紙料に添加し、引続き（ｂ）水溶性のカチオン性重合体を添加する、請求項１から１８までのいずれか１項に記載の方法。
【請求項２２】
請求項１から２１までのいずれか１項に記載の方法により得られた紙。